(57)【要約】【課題】シートが導入される２つの導入部を有する構成において、シートを同時に搬送することによる不都合を抑制しつつ、利便性の低下を抑制する技術を提供すること。【解決手段】シート搬送装置は、シートを搬送する搬送部と、搬送部に向けてシートが導入される第１導入部と、搬送部に向けてシートが導入される、第１導入部とは異なる第２導入部と、第１導入部が開放された状態において、第２導入部を開放する開状態と第２導入部を覆う閉状態とに変位するカバーと、カバーの開閉状態を検知するカバーセンサと、制御部とを備える。制御部は、カバーセンサがカバーの閉状態を検知している場合（Ｓ１１５：ＹＥＳ）において搬送部を駆動する駆動処理（Ｓ１２５）を実行する。【選択図】図９
2014108873.tif 000002
【特許請求の範囲】
【請求項１】
シートを搬送する搬送部と、
前記搬送部に向けてシートが導入される第１導入部と、
前記搬送部に向けてシートが導入される、前記第１導入部とは異なる第２導入部と、
前記第１導入部が開放された状態において、前記第２導入部を開放する開状態と前記第２導入部を覆う閉状態とに変位するカバーと、
前記カバーの開閉状態を検知するカバーセンサと、
制御部とを備え、
前記制御部は、
前記カバーセンサが前記カバーの閉状態を検知している場合において前記搬送部を駆動する駆動処理を実行する、シート搬送装置。
【請求項２】
請求項１に記載のシート搬送装置において、
前記制御部は、
前記搬送部を駆動するための駆動指示を受け付ける受付処理を実行し、
前記駆動処理において、前記受付処理にて前記駆動指示を受け付けた際に前記カバーセンサが前記カバーの閉状態を検知している場合、前記搬送部を駆動する、シート搬送装置。
【請求項３】
請求項２に記載のシート搬送装置において、
前記第１導入部から導入されるシートを検知するシートセンサを備え、
前記制御部は、
前記受付処理において、前記シートセンサがシートを検知した際に生成する検知信号を前記駆動指示として受け付ける、シート搬送装置。
【請求項４】
請求項１から請求項３のいずれか一項に記載のシート搬送装置において、
前記第１導入部からシートを搬送するための第１搬送経路と、
前記第２導入部からシートを搬送するための第２搬送経路であって、前記第１搬送経路と合流する第２搬送経路を備える、シート搬送装置。
【請求項５】
請求項４に記載のシート搬送装置において、
前記制御部は、
前記駆動処理にて前記搬送部の駆動中に前記カバーセンサが前記カバーの開状態を検知する場合、前記搬送部の駆動を停止する停止処理を実行する、シート搬送装置。
【請求項６】
請求項１から請求項４のいずれか一項に記載のシート搬送装置において、
前記制御部は、
前記駆動処理にて前記搬送部の駆動中に前記カバーセンサが前記カバーの開状態を検知する場合、前記第２導入部からのシートの導入を抑制する抑制処理を実行する、シート搬送装置。
【請求項７】
請求項６に記載のシート搬送装置において、
報知部を備え、
前記制御部は、
前記抑制処理において、前記第２導入部からのシートの導入を抑制する状態であることを前記報知部に報知させる、シート搬送装置。
【請求項８】
請求項７に記載のシート搬送装置において、
前記搬送部は、前記第１導入部から導入されるシートを搬送する第１搬送部と、前記第２導入部から導入されるシートを搬送する第２搬送部と、前記第１搬送部および前記第２搬送部への動力の伝達に共用されるモータとを含む、シート搬送装置。
【請求項９】
請求項６または請求項７に記載のシート搬送装置において、
前記搬送部は、前記第１導入部から導入されるシートを搬送する第１搬送部と、前記第２導入部から導入されるシートを搬送する第２搬送部と、前記第１搬送部への動力の伝達に用いられる第１モータと、前記第２搬送部への動力の伝達に用いられる第２モータとを含み、
前記制御部は、
前記抑制処理において、前記第２モータの駆動を停止することにより、前記第２搬送部の駆動を停止する、シート搬送装置。
【請求項１０】
請求項４から請求項９のいずれか一項に記載のシート搬送装置において、
前記第１導入部から導入されたシートおよび前記第２導入部から導入されたシートを共通に排出する排出部を備え、
前記第１搬送経路は、前記第１導入部と前記排出部との間を直線状に結ぶ搬送路であり、
前記第２搬送経路は、前記第２導入部と前記排出部との間を屈曲して結ぶ搬送路である、シート搬送装置。
【請求項１１】
請求項１から請求項１０のいずれか一項に記載のシート搬送装置と、
前記搬送部によって搬送されるシートを利用して画像データを処理する画像処理部とを備えた、画像処理装置。
【請求項１２】
請求項１１に記載の画像処理装置において、
前記制御部は、
前記搬送部を駆動するための駆動指示を受け付ける受付処理を実行し、
前記受付処理において、前記画像処理部による画像データの処理を開始する指示としての前記駆動指示を受け付ける、画像処理装置。
【発明の詳細な説明】
【技術分野】
【０００１】
本発明はシート搬送装置、および当該シート搬送装置を備えた画像処理装置に関し、詳しくは、シートが導入される２つの導入部を有するシート搬送装置の構成において、シート同士の衝突を抑制する技術に関する。
【背景技術】
【０００２】
従来、シートが導入される２つの導入部を有するシート搬送装置の構成において、シート同士の衝突を抑制する技術として、例えば特許文献１に記載されたものが知られている。同文献では、２つの導入部それぞれに導入されるシートを検出するセンサが各導入部に設けられ、両センサがシートを検出している場合、各導入部に導入されたシート同士の衝突によるジャムが発生するとして、シートの搬送を禁止する技術が開示されている。
【先行技術文献】
【特許文献】
【０００３】
【特許文献１】特開２０１２−１８４０５７号公報
【発明の概要】
【発明が解決しようとする課題】
【０００４】
しかしながら、常に各導入部にシートを導入され得る状態であると、シート搬送が禁止される頻度が高くなり、利便性が低下する虞がある。
【０００５】
本発明は、シートが導入される２つの導入部を有する構成において、複数のシートを同時に搬送することによる不都合を抑制しつつ、利便性の低下を抑制する技術を提供するものである。
【課題を解決するための手段】
【０００６】
本明細書によって開示されるシート搬送装置は、シートを搬送する搬送部と、前記搬送部に向けてシートが導入される第１導入部と、前記搬送部に向けてシートが導入される、前記第１導入部とは異なる第２導入部と、前記第１導入部が開放された状態において、前記第２導入部を開放する開状態と前記第２導入部を覆う閉状態とに変位するカバーと、前記カバーの開閉状態を検知するカバーセンサと、制御部とを備え、前記制御部は、前記カバーセンサが前記カバーの閉状態を検知している場合において前記搬送部を駆動する駆動処理を実行する。
本構成によれば、カバーが閉状態においては、開放された状態にある第１導入部に導入されるシートのみを搬送することができる。そのため、常に各導入部にシートを導入され得る状態を、回避することができ、シート搬送が禁止される頻度を低減させることができる。それによって、２つの導入部を有する構成において、複数のシートを同時に搬送することによる不都合を抑制しつつ、利便性の低下を抑制できる。
【０００７】
上記シート搬送装置において、前記制御部は、前記搬送部を駆動するための駆動指示を受け付ける受付処理を実行し、前記駆動処理において、前記受付処理にて前記駆動指示を受け付けた際に前記センサが前記カバーの閉状態を検知している場合、前記搬送部を駆動するようにしてもよい。
本構成によれば、カバーさえ閉まっていれば搬送部を駆動する形態に比べて省電力となる。
【０００８】
また、上記シート搬送装置において、前記第１導入部から導入されるシートを検知するシートセンサを備え、前記制御部は、前記受付処理において、前記シートセンサがシートを検知した際に生成する検知信号を前記駆動指示として受け付けるようにしてもよい。
本構成によれば、カバー閉状態の時に、シートが第１導入部に導入されるタイミングで搬送部を駆動できる。
【０００９】
また、上記シート搬送装置において、前記第１導入部からシートを搬送するための第１搬送経路と、前記第２導入部からシートを搬送するための第２搬送経路であって、前記第１搬送経路と合流する第２搬送経路を備えるようにしてもよい。
本構成によれば、第１搬送経路と第２搬送経路とが合流する構成であっても、両方の導入部からシートが導入されて搬送されてしまうのを抑制できる。
【００１０】
また、上記シート搬送装置において、前記制御部は、前記駆動処理にて前記搬送部の駆動中に前記カバーセンサが前記カバーの開状態を検知する場合、前記搬送部の駆動を停止する停止処理を実行するようにしてもよい。
本構成によれば、第１導入部に導入されて搬送中のシートとともに、第２導入部に導入されるシートも搬送されてしまうのを確実に防止できる。
【００１１】
また、上記シート搬送装置において、前記制御部は、前記駆動処理にて前記搬送部の駆動中に前記カバーセンサが前記カバーの開状態を検知する場合、前記第２導入部からのシートの導入を抑制する抑制処理を実行するようにしてもよい。  
本構成によれば、第２導入部に導入されたシートも搬送されてしまうのを抑制しつつ、第１導入部に導入されて搬送中のシートの搬送を継続できる。
【００１２】
また、上記シート搬送装置において、報知部を備え、前記制御部は、前記抑制処理において、前記第２導入部からのシートの導入を抑制する状態であることを前記報知部に報知させるようにしてもよい。
本構成によれば、第２導入部へシートを導入しないようにユーザに促すことができる。
【００１３】
また、上記シート搬送装置において、前記搬送部は、前記第１導入部から導入されるシートを搬送する第１搬送部と、前記第２導入部から導入されるシートを搬送する第２搬送部と、前記第１搬送部および前記第２搬送部への動力の伝達に共用されるモータとを備えるようにしてもよい。
第１搬送部および第２搬送部への動力の伝達にモータが共用される構成においては、第２導入部に導入されたシートも搬送されてしまう可能性が高い。そのため、本構成によれば、特に、モータが共用される構成において、第２導入部に導入されたシートも搬送されてしまうのを抑制しつつ、第１導入部に導入されて搬送中のシートの搬送を継続できる。
【００１４】
また、上記シート搬送装置において、前記搬送部は、前記搬送部は、前記第１導入部から導入されるシートを搬送する第１搬送部と、前記第２導入部から導入されるシートを搬送する第２搬送部と、前記第１搬送部への動力の伝達に用いられる第１モータと、前記第２搬送部への動力の伝達に用いられる第２モータとを含み、前記制御部は、前記抑制処理において、前記第２モータの駆動を停止することにより、前記第２搬送部の駆動を停止するようにしてもよい。
本構成によれば、第２導入部に導入されたシートも搬送されてしまうのを確実に抑制しつつ、第１導入部に導入されて搬送中のシートの搬送を継続できる。
【００１５】
また、上記シート搬送装置において、前記第１導入部から導入されたシートおよび前記第２導入部から導入されたシートを共通に排出する排出部を備え、前記第１搬送経路は、前記第１導入部と前記排出部との間を直線状に結ぶ搬送路であり、前記第２搬送経路は、前記第２導入部と前記排出部との間を屈曲して結ぶ搬送路であるようにしてもよい。
本構成によれば、第１導入部から導入されるシートとして、プラスチック製の免許証等のカードが使用でき、第２導入部から導入されるシートとして通常の紙原稿が使用できる。
【００１６】
また、本明細書によって開示される画像処理装置は、上記いずれかのシート搬送装置と、前記搬送部によって搬送されるシートを利用して画像データを処理する画像処理部とを備える。
本構成によれば、画像処理装置が備えるシート搬送装置の、２つの導入部を有する構成において、利便性の低下を抑制できる。
【００１７】
上記画像処理装置において、前記制御部は、前記搬送部を駆動するための駆動指示を受け付ける受付処理を実行し、前記受付処理において、前記画像処理部による画像データの処理を開始する指示としての前記駆動指示を受け付けるようにしてもよい。
本構成によれば、カバー閉状態の時に、画像データの処理を開始する指示がなされるタイミングで搬送部を駆動できる。
【発明の効果】
【００１８】
本発明によれば、シートが導入される２つの導入部を有する構成において、カバーセンサがカバーの閉状態を検知している場合において、シートを搬送する搬送部が駆動されるため、複数のシートを同時に搬送することによる不都合を抑制しつつ、利便性の低下を抑制することができる。
【図面の簡単な説明】
【００１９】
【図１】本発明に係る一実施形態の画像読取装置の主に前方を示す斜視図
【図２】画像読取装置の主に後方を示す斜視図
【図３】給送トレイが開位置にある状態の画像読取装置の主に前方を示す斜視図
【図４】トレイカバーが開位置にある状態の画像読取装置の上面図
【図５】図４のＢ−Ｂ断面であって、トレイカバーが閉位置にある状態を示す概略的な断面図
【図６】図４のＡ‐Ａ断面を概略的に示す断面図
【図７】画像読取装置の電気的構成を概略的に示すブロック図
【図８】画像読取装置が行うカードおよび原稿のスキャン機能のメイン処理のフローチャート
【図９】メイン処理の中で行われる読取準備処理のフローチャート
【図１０】メイン処理の中で行われる読取設定処理のフローチャート
【図１１】メイン処理の中で行われる原稿読取動作処理のフローチャート
【図１２】メイン処理の中で行われるカード読取動作処理のフローチャート
【発明を実施するための形態】
【００２０】
＜実施形態＞
次に本発明に係る一実施形態について図１から図１２を参照して説明する。
１．画像読取装置の全体構成
まず、図１から図７を参照して画像読取装置１の全体構成を説明する。画像読取装置１は、本発明のシート搬送装置を備えた画像処理装置の一例である。図１では、排出口１２側を装置の前側とし、排出口１２に対向した場合に左手に来る側を左側とし、前後、左右および上下の各方向を表示する。図２以降に示す各方向は、全て図１に示す各方向に対応させて表示する。
【００２１】
なお、シート搬送装置を備えた画像処理装置は画像読取装置に限られず、画像処理装置は、例えば、画像形成装置であってもよい。また、シート搬送装置は、画像処理装置を備えていなくてもよく、シートの表面にコーティング加工を施すような機能を備えていてもよい。
【００２２】
図１から図７に示すように、画像読取装置１は、シート搬送装置２、制御基板５、筐体３０、読取部５５、およびタッチパネル７０等を備える。
【００２３】
シート搬送装置２は、搬送経路１０，２０、導入口１１，２１、排出口１２、トレイカバー（カバーの一例）３６、搬送部４０、開閉位置センサ６０、原稿フロントセンサ（以下、原稿Ｆセンサと記す）６１、カードフロントセンサ（以下、カードＦセンサと記す）６２、原稿リアセンサ（以下、原稿Ｒセンサと記す）６３、カードリアセンサ（以下、カードＲセンサと記す）６４等の各種センサを含む。
【００２４】
図１、図２等に示すように、筐体３０は、第１筐体３１、第２筐体３２、および一対のサイドフレーム３３Ｌ、３３Ｒを含む。上側に位置する第１筐体３１と、下側に位置する第２筐体３２とは、上下方向の間隔を有して互いに対向する。左側のサイドフレーム３３Ｌおよび右側のサイドフレーム３３Ｒは、第１筐体３１および第２筐体３２を左右方向の外側から挟む。
【００２５】
導入口１１，２１は、図２等に示される、カード（シートの一例）ＣＡを導入するための第１導入口（第１導入部の一例）２１と、図３等に示される、原稿（シートの一例）ＳＨを導入するための第２導入口（第２導入部の一例）１１である。ここで、カードＣＡは、例えば、プラスチィック製の会員証あるいは免許証等であり、原稿ＳＨは、例えば、用紙やＯＨＰシート等である。
【００２６】
また、排出口１２は、図１等に示される、カードＣＡを排出するための第１排出口（排出部の一例）１２Ａと、図１等に示される、原稿ＳＨを排出するための第２排出口（排出部の一例）１２Ｂとを含む。なお、第１排出口１２Ａは、原稿ＳＨを排出する際にも利用される。すなわち、第１排出口１２Ａは、カードＣＡおよび原稿ＳＨの排出に兼用されることがある。
【００２７】
また、搬送経路１０，２０は、図５等に示される、第１導入口２１からカードＣＡを搬送するための第１搬送経路２０と、図６等に示される、第２導入口１１から原稿ＳＨを搬送するための第２搬送経路１０である。第２搬送経路１０は、図５に示されるように、途中で第１搬送経路２０と合流する。詳しくは、第２搬送経路１０の右端部分が、途中で第１搬送経路２０と合流する（図４参照）。言い換えれば、第１搬送経路２０は、途中で第２搬送経路１０と合流する（図５参照）。また、第１搬送経路２０は、第１導入口２１と第１排出口１２Ａとの間を直線状に結ぶ搬送路であり、第２搬送経路１０は、第２導入口１１と排出口１２との間を屈曲して結ぶ搬送路である。そのため、第１導入口２１から導入されるシートとして、プラスチック製の免許証等のカードが使用でき、第２導入口１１から導入されるシートとして通常の紙原稿が使用できる。
【００２８】
トレイカバー３６は、図１等に示すように、第１トレイ３６Ａと、第２トレイ３６Ｂとを含む。第１トレイ３６Ａは、第２導入口１１を開閉するカバーの機能を有するとともに、原稿ＳＨを載置するトレイの機能を有する。トレイカバー３６に載置された原稿ＳＨは、第２導入口１１に導入され、第２搬送経路１０において第２排出口１２Ｂへ案内される。
【００２９】
ここで、トレイカバー３６は、第１導入口２１が開放された状態において第２導入口１１を開放する開状態（図３、図６等参照）と、第１導入口２１が開放された状態において第２導入口１１を覆う閉状態（図２、図５等参照）とに変位するカバーの一例である。
【００３０】
また、図３および図４に示すように、第１トレイ３６Ａの左右の角部には、一対のヒンジ部３７Ｌ、３７Ｒが一体に形成されている。第１トレイ３６Ａの中央には、矩形状に開口する操作開口３９が形成されている。第１トレイ３６Ａは、両ヒンジ部３７Ｌ、３７Ｒを介して、回動軸心Ｘ１周りに回動可能に両サイドフレーム３３Ｌ、３３Ｒに支持されている。
【００３１】
第２トレイ３６Ｂは、第１トレイ３６Ａにおける両ヒンジ部３７Ｌ、３７Ｒとは反対側の左右の角部に連結されている。これにより、第２トレイ３６Ｂは、左右方向に延びる回動軸心Ｘ２周りに第１トレイ３６Ａに回動可能に支持されている。また、図１に示すように、操作開口３９は、トレイカバー３６が閉状態であってもタッチパネル７０を外部に露出させている。
【００３２】
また、搬送部４０は、図４および図５に示される、第１導入口２１に導入されるカードＣＡを搬送する第１搬送部４０Ａと、図４および図６に示される、第２導入口１１に導入される原稿ＳＨを搬送する第２搬送部４０Ｂと、駆動モータ８０と、を含む。
【００３３】
第１搬送部４０Ａは、図４に示されるように、搬送ローラ４２Ｃ、排出ローラ４４Ｃ、および従動ローラ４３Ｃ，４５Ｃを含む。また、第２搬送部４０Ｂは、供給ローラ４１、分離パッド４９、搬送ローラ４２Ａ，４２Ｂ、排出ローラ４４Ａ，４４Ｂ、および従動ローラ４３Ａ，４３Ｂ，４５Ａ，４５Ｂを含む。
【００３４】
なお、第１搬送部４０Ａは、原稿ＳＨの搬送の際にも利用されることがある。また、本実施形態では、第１搬送部４０Ａおよび第２搬送部４０Ｂの搬送ローラ４２Ｃ、排出ローラ４４Ｃ、供給ローラ４１、搬送ローラ４２Ａ，４２Ｂ、排出ローラ４４Ａ，４４Ｂへの動力の伝達は、動力伝達機構（図示せず）を介して、一個の駆動モータ８０を共用することによって行われる。すなわち、第１搬送部４０Ａおよび第２搬送部４０Ｂは、駆動モータ８０によって同時に駆動される。
【００３５】
また、分離パッド４９は、図示しない付勢部材に付勢されて、供給ローラ４１に押し付けられている。これにより、分離パッド４９は、第２搬送経路１０において搬送される原稿ＳＨを供給ローラ４１と挟んで一枚ずつ分離し得る。以下、搬送部４０の各ローラの構成要素について区別する場合はＡ、Ｂ、Ｃの添え字を付し、区別しない場合は添え字を省略する。
【００３６】
２．画像読取装置の電気的構成
次に、図７を参照して、画像読取装置１の電気的構成を説明する。画像読取装置１は、図７に示すように、制御基板５に搭載された、ＣＰＵ５０（制御部の一例）、ＲＯＭ５１、ＲＡＭ５２、ネットワークインターフェイス（以下、ネットワークＩ／Ｆと記す）５３、カウンタ５４を備える。制御基板５に、読取部５５、各センサ６０〜６４、タッチパネル７０、および駆動モータ８０等が接続されている。
【００３７】
ＲＯＭ５１には、後述するスキャン機能を実行するためのプログラムや、この画像読取装置１の各種の動作を実行するためのプログラムが記憶されている。ＣＰＵ５０は、ＲＯＭ５１から読み出したプログラムに従って、ＲＡＭ５２を用いながら画像読取装置１の各部を制御する。
【００３８】
読取部５５は、図５〜図７に示すように、画像読取センサ５５Ａ、５５Ｂを有している。読取部５５は、本発明の「画像処理部」の一例である。画像読取センサ５５Ａは、第２筐体３２に組み付けられ、搬送ローラ４２と排出ローラ４４との間に設けられる。画像読取センサ５５Ｂは、第１筐体３１に組み付けられ、従動ローラ４３と従動ローラ４５との間に設けられる。すなわち、画像読取センサ５５Ａ、５５Ｂは、第２搬送経路１０を上下方向から挟むように対向している。また、第２搬送経路１０の一部が第１搬送経路２０の一部を兼ねていることにより、図５および図６に示すように、画像読取センサ５５Ａ、５５Ｂは、第１搬送経路２０を上下方向から挟むように対向している。画像読取センサ５５Ａ、５５Ｂとしては、例えば、ＣＩＳ（Ｃｏｎｔａｃｔ Ｉｍａｇｅ Ｓｅｎｓｏｒ）やＣＣＤ（Ｃｈａｒｇｅ Ｃｏｕｐｌｅｄ Ｄｅｖｉｃｅ）等が採用される。
【００３９】
画像読取センサ５５Ａは、ＣＰＵ５０からの指令によって不図示の光源を点灯させて、上方を通過する原稿ＳＨやカードＣＡの下面に光を照射し、原稿ＳＨやカードＣＡにより反射された反射光を受光することにより、原稿ＳＨやカードＣＡの下面の画像に応じた信号を出力する。画像読取センサ５５Ａは、出力された信号をＣＰＵ５０に伝達する。ＣＰＵ５０は、出力された信号に基づき、画像データを生成し、生成した画像データをＲＡＭ５２に記憶させる。
【００４０】
画像読取センサ５５Ｂは、ＣＰＵ５０からの指令によって不図示の光源を点灯させて、下方を通過する原稿ＳＨやカードＣＡの上面に光を照射し、原稿ＳＨやカードＣＡにより反射された反射光を受光することにより、原稿ＳＨやカードＣＡの上面の画像に応じた信号を出力する。画像読取センサ５５Ｂは、出力された信号をＣＰＵ５０に伝達する。ＣＰＵ５０は、出力された信号に基づき、画像データを生成し、生成した画像データをＲＡＭ５２に記憶させる。
【００４１】
開閉位置センサ（カバーセンサの一例）６０は、図１および図３等に示すように、トレイカバー３６の開閉状態を検知し、各状態に対応した検知信号をＣＰＵ５０に伝達する。より詳しくは、開閉位置センサ６０は、右側のサイドフレーム３３Ｒの後側上端部に設けられて、右側のヒンジ部３７Ｒに隣接している。開閉位置センサ６０は、マイクロスイッチやロータリースイッチ等からなり、トレイカバー３６の回動軸心Ｘ１周りの回動によって断接する。
【００４２】
タッチパネル７０は、例えば、液晶表示部（ＬＣＤ）を含み、図３に示されるように、第１筐体３１の上面の中央に設けられている。タッチパネル７０は、外部への報知情報を表示する。具体的には、タッチパネル７０は、ＣＰＵ５０に制御されて、画像読取動作の処理状況やエラー状況等である画像読取装置１の稼働状況等を表示する。また、タッチパネル７０は、外部からの操作を受け付ける。具体的には、例えば、タッチパネル７０は、図１に示すように、搬送部４０の駆動を開始する指示を受け付ける「ＳＴＡＲＴ」ボタンＢＴ１や、搬送部４０の駆動を中止する指示を受け付ける「ＳＴＯＰ」ボタンＢＴ２のような各種のボタンを表示する。そして、ユーザがいずれかのボタンに対応する処理の開始指示や中止指示や設定入力等を行うためにタッチパネル７０に触れると、タッチパネル７０はその操作を受け付けて、受付情報をＣＰＵ５０に伝達する。
【００４３】
なお、搬送部４０の駆動の開始指示および中止指示の受付けは、タッチパネル７０を介して行われることに限られない。例えば、画像読取装置１に対して情報伝達可能に接続されるスマートフォンやパーソナルコンピュータ等の情報端末から、ネットワークＩ／Ｆ５３を介して指示が受け付けられてもよい。
【００４４】
原稿Ｆセンサ６１は、図４および図６に示すように、分離パッド４９の周辺に位置し、第２導入口１１において第２搬送経路１０に原稿ＳＨが存在するか否かに対応した検知信号をＣＰＵ５０に伝達する。
【００４５】
カードＦセンサ（シートセンサの一例）６２は、図４および図５に示すように、第１搬送経路２０に露出し、第１搬送部４０Ａよりもカード搬送方向上流側に位置している。カードＦセンサ６２は、第１導入口２１において第１搬送経路２０にカードＣＡが存在するか否かに対応した検知信号をＣＰＵ５０に伝達する。
【００４６】
また、原稿Ｒセンサ６３は、図４および図６に示すように、第１筐体３１の画像読取センサ５５Ｂよりも原稿搬送方向上流側に位置し、従動ローラ４３よりも原稿搬送方向下流側に位置している。原稿Ｒセンサ６３は、読取部５５と従動ローラ４３との間の第２搬送経路１０に原稿ＳＨが存在するか否かに対応した検知信号をＣＰＵ５０に伝達する。
【００４７】
カードＲセンサ６４は、図４および図５に示すように、第２筐体３２の画像読取センサ５５Ａよりも原稿搬送方向上流側に位置し、搬送ローラ４２よりも原稿搬送方向下流側に位置している。カードＲセンサ６４は、読取部５５と搬送ローラ４２との間の第１搬送経路２０にカードＣＡが存在するか否かに対応した検知信号をＣＰＵ５０に伝達する。
【００４８】
また、駆動モータ８０は、本実施形態では、例えば、ステッピングモータであり、カウンタ５４は、駆動モータ８０が１ステップ駆動される度に駆動ステップ数を１カウントする。ＣＰＵ５０は、カウンタ５４によってカウントされる駆動ステップ数にしたがって駆動モータ８０を回転制御する。
【００４９】
３．スキャン機能
次に、以上のように構成された画像読取装置１のスキャン機能について、図８から図１２を参照して、説明する。スキャン機能の各処理は、例えば、ＲＯＭ５１に格納されたプログラムにしたがって、ＣＰＵ５０によって実行される。なお、スキャン機能に係る各処理の実行順序は、図８から図１２に示される順序に限られず、実行順序は、適宜、変更されてもよい。
【００５０】
３−１．メイン処理
メイン処理は、画像読取装置１の電源がＯＮすると、開始される。図８に示されるように、メイン処理には、「読取準備処理」、「読取設定処理」、および「読取動作処理」が含まれる。各処理の詳細は後述する。
【００５１】
メイン処理が開始されると、ＣＰＵ５０は、まず、原稿ＳＨまたはカードＣＡを読取るための読取準備処理（ステップＳ１０）を行う。次いで、読取準備処理において読取準備が成功したか否かを、「読取準備結果」を「成功」とする情報がＲＡＭ５２に記憶されているか「読取準備結果」を「失敗」とする情報がＲＡＭ５２に記憶されているかにより、判断する（ステップＳ２０）。読取準備が成功しなかったと判断した場合は（ステップＳ２０：ＮＯ）、スキャン機能を終了する。一方、読取準備が成功したと判断した場合は（ステップＳ２０：ＹＥＳ）、読取設定処理を行う（ステップＳ３０）。
【００５２】
次いで、ＣＰＵ５０は、読取設定処理が終了した後、原稿ＳＨまたはカードＣＡの画像を読取る読取動作処理を行い（ステップＳ４０）、読取動作処理が終了した後、スキャン機能を終了する。
【００５３】
３−２．読取準備処理
次に、図９を参照して、読取準備処理を説明する。
読取準備処理において、ＣＰＵ５０は、まずカードＦセンサ６２がＯＮか否かを、カードＦセンサ６２からの検知信号に基づいて判断する。すなわちカードＣＡの有無を検知する（ステップＳ１０５）。カードＦセンサ６２がＯＮでないと判断した場合（ステップＳ１０５：ＮＯ）は、原稿Ｆセンサ６１がＯＮか否かを、原稿Ｆセンサ６１からの検知信号に基づいて判断する。すなわち原稿ＳＨの有無を検知する（ステップＳ１１０）。
原稿Ｆセンサ６１がＯＮであると判断した場合（ステップＳ１１０：ＹＥＳ）は、ユーザによりトレイカバー３６に原稿ＳＨが載置されて原稿ＳＨの先端が第２導入口１１に導入されたと判断する。そして、ＣＰＵ５０は、原稿ＳＨが供給ローラ４１と分離パッド４９との当接位置にセットされ、原稿ＳＨの読取準備が完了したとして、すなわち、「読取準備結果」を「原稿ＳＨの読取準備成功」とする情報をＲＡＭ５２に記憶し（ステップＳ１８０）、読取準備処理を終了する。一方、原稿Ｆセンサ６１がＯＮでないと判断した場合（ステップＳ１１０：ＮＯ）は、ステップＳ１０５に戻る。
【００５４】
一方、ステップＳ１０５において、カードＦセンサ６２がＯＮであると判断した場合（ステップＳ１０５：ＹＥＳ）、ＣＰＵ５０は、開閉位置センサ６０の検知信号に基づいてトレイカバー３６が閉状態か否かを判断する（ステップＳ１１５）。ここで、ステップＳ１１０の「ＹＥＳ」判定処理は、搬送部４０を駆動するための駆動指示を受け付ける受付処理の一例に相当する。
【００５５】
トレイカバー３６が閉状態でない、すなわち、トレイカバー３６が開状態であると判断した場合（ステップＳ１１５：ＮＯ）、ＣＰＵ５０は、トレイカバー３６を閉状態とすることを促すための表示を、例えばタッチパネル７０に表示する（ステップＳ１２０）。そして、ステップＳ１０５に戻る。
【００５６】
一方、トレイカバー３６が閉状態であると判断した場合（ステップＳ１１５：ＹＥＳ）、ＣＰＵ５０は、ユーザにカードＣＡを読取らせる意思があるとして、駆動モータ８０を制御して搬送部４０を駆動してカードＣＡの搬送動作を開始する（ステップＳ１２５：駆動処理の一例）。
【００５７】
このように本実施形態では、ＣＰＵ５０は、カードＦセンサ６２がＯＮであると判断した際にトレイカバー３６が閉状態であると判断した場合、駆動処理において搬送部４０を駆動する。そのため、トレイカバー３６さえ閉まっていれば搬送部４０を駆動する形態に比べて無駄な電力を消費しないので、省電力となる。また、本実施形態では、ＣＰＵ５０は、受付処理において、カードＦセンサ６２がカードＣＡを検知した際に生成する検知信号としての駆動指示を受け付ける。そのため、カバー閉状態の時に、カードＣＡが第１導入口２１に導入されるタイミングで搬送部４０を駆動できるので、原稿ＳＨとの衝突を抑制しつつ、カードＣＡの読取準備処理を行うことができる。
【００５８】
次いで、搬送動作の開始後、ＣＰＵ５０は、タッチパネル７０上に表示される「ＳＴＯＰ」ボタンＢＴ２が押されたか否かを検知する。すなわち、ユーザからの中止指示が受け付けられたかどうかを判断する（ステップＳ１３０）。「ＳＴＯＰ」ボタンが押されて中止指示を受け付けた場合（ステップＳ１３０：ＹＥＳ）は、異常音の発生などカードＣＡの搬送に伴う異常が発生したとして、駆動モータ８０の駆動を停止し(ステップＳ１５５)、例えばカードＣＡを取り除くための操作手順を表した図や文字などカードＣＡの取り除き方および「ＳＴＯＰ」ボタンをタッチパネル７０に表示する(ステップＳ１６０)。そして再び「ＳＴＯＰ」ボタンが押されたか否かを検知する（ステップＳ１６５）。「ＳＴＯＰ」ボタンが押されたことを検知するまで、ステップＳ１６５の判断を繰り返し行う（ステップＳ１６５：ＮＯ）。
【００５９】
「ＳＴＯＰ」ボタンが押されたら（ステップＳ１６５：ＹＥＳ）、一旦停止させたもののカードＣＡの搬送動作を再開してもカードＣＡの搬送に伴う異常は発生しないとユーザが判断したとして、排出動作を行う（ステップＳ１７０）。すなわち、カードＣＡの先端が搬送ローラ４２と従動ローラ４３のニップ位置にある位置からカードＣＡの後端が排出ローラ４４と従動ローラ４５のニップ位置に位置するまでカードＣＡを搬送するのに必要なステップ数分、駆動モータ８０を駆動し、カードＣＡを第１排出口１２Ａへ向かって搬送し装置外に排出する搬送動作を行う。その後、ＣＰＵ５０は、「読取準備結果」を「失敗」とする情報を（ステップＳ１７５）ＲＡＭ５２に記憶し、読取準備処理を終了する。
【００６０】
一方、ステップＳ１３０において、「ＳＴＯＰ」ボタンが押されず中止指示を受け付けなかった場合（ステップＳ１３０：ＮＯ）は、ステップＳ１１５と同様に、ＣＰＵ５０は、再度、開閉位置センサ６０の検知信号に基づいてトレイカバー３６が閉状態か否かを判断する（ステップＳ１３５）。
【００６１】
トレイカバー３６が閉状態でない、すなわち、トレイカバー３６が開状態であると判断した場合（ステップＳ１３５：ＮＯ）、ＣＰＵ５０は、第２導入口１１へ原稿ＳＨを導入しない旨の表示を、例えばタッチパネル７０に表示する（ステップＳ１３７：抑制処理の一例）。
【００６２】
すなわち、ＣＰＵ５０は、搬送部４０の駆動中（駆動処理中）に開閉位置センサ６０がトレイカバー３６の開状態を検知する場合、第２導入口１１への原稿ＳＨの導入を抑制する抑制処理を実行する。それによって、第２導入口１１に導入された原稿ＳＨが搬送されてしまうのを抑制しつつ、第１導入口２１に導入されて搬送中のカードＣＡの搬送を継続できる。その際、第２導入口１１へ原稿ＳＨを導入しない旨の表示をタッチパネル７０に表示して外部に報知することによって、第２導入口１１へ原稿ＳＨを導入しないようにユーザに促すことができる。
【００６３】
また、本実施形態のように、第１搬送部４０Ａおよび第２搬送部４０Ｂへの動力の伝達に駆動モータ８０が共用される構成においては、カードＣＡの搬送中において、第２導入口１１に導入された原稿ＳＨも搬送されてしまう可能性が高い。そのため、特に、駆動モータ８０が共用される構成において、抑制処理によって第２導入口１１に導入された原稿ＳＨも搬送されてしまうのを抑制しつつ、第１導入口２１に導入されて搬送中のカードＣＡの搬送を継続できる。
【００６４】
なお、ステップＳ１３７において、第２導入口１１へ原稿ＳＨを導入しない旨の表示に代えて、ステップＳ１２０と同様に、トレイカバー３６を閉状態とすることを促すための表示をタッチパネル７０に表示するようにしてもよい。
【００６５】
あるいは、トレイカバー３６が開状態であると判断した場合（ステップＳ１３５：ＮＯ）、ステップＳ１３７の処理に代えて、ステップＳ１５５に移行して、上記ステップＳ１５５からステップＳ１７５までの処理を行うようにしてもよい。すなわち、カードＣＡの搬送中にトレイカバー３６が開状態とされた場合、カードＣＡの読取りを中止するようにしてもよい。
【００６６】
一方、ステップＳ１３５において、トレイカバー３６が閉状態であると判断した場合（ステップＳ１３５：ＹＥＳ）、ＣＰＵ５０は、カードＲセンサ６４がＯＮか否かを、カードＲセンサ６４からの検知信号に基づいて判断する（ステップＳ１４０）。カードＲセンサ６４がＯＮでないと判断された場合（ステップＳ１４０：ＮＯ）、ステップＳ１３０に戻り、搬送動作を続行する。すなわち、ステップＳ１３０およびＳ１３５において、搬送動作が開始されてからカードＣＡの先端がカードＲセンサ６４の位置を通過するまでに、ユーザがＳＴＯＰボタンを押下するか否か、およびトレイカバー３６が開かれるか否かを監視する。
【００６７】
一方、カードＲセンサ６４がＯＮであると判断した場合（ステップＳ１４０：ＹＥＳ）、ＣＰＵ５０は、ユーザにより第１導入口２１から導入されたカードＣＡの先端が搬送ローラ４２Ｂと従動ローラ４３Ｂによって挟持されてカードＣＡの読取準備が完了したとして、駆動モータ８０の駆動を停止しカードＣＡの搬送動作を停止する（ステップＳ１４５）。そして、ＣＰＵ５０は、「読取準備結果」を「カードＣＡの読取準備成功」とする情報を（ステップＳ１５０）ＲＡＭ５２に記憶し、読取準備処理を終了する。
なお、読取準備処理において、ステップＳ１０５の処理が省略されて、ステップＳ１１５の処理から開始されるようにしてもよい。
【００６８】
３−３．読取設定処理
次に、図１０を参照して、読取設定処理を説明する。
【００６９】
まず、ＣＰＵ５０は、例えばタッチパネル７０を介して「読取モード」に関する設定を行った後、ユーザから完了指示を受け付けるなどして、「読取モード」に関する設定が完了したか否かを判断する（ステップＳ３１０）。「読取モード」に関する設定が完了したと判断するまで、ステップＳ３１０の判断を繰り返し行う（ステップＳ３１０：ＮＯ）。なお、「読取モード」に関する設定とは、例えば読取解像度の設定や、カラー読取かモノクロ読取かの設定や、片面読取か両面読取かの設定などである。この設定は、例えばユーザがタッチパネル７０上で操作して設定してもよいし、あるいは事前に設定された設定内容を読み込んでもよい。さらに、ネットワークＩ／Ｆ５３を介して設定されてもよい。この場合、読み込みが完了した時点で読み込み完了の信号を受け取るなどして、ＣＰＵ５０は、「読取モード」に関する設定が完了したことを判断する。
【００７０】
次いで、ＣＰＵ５０は、モード設定完了後（ステップＳ３１０：ＹＥＳ）、タッチパネル７０上に表示される「ＳＴＡＲＴ」ボタンＢＴ１が押下されたか否かを判断する（ステップＳ３２０）。「ＳＴＡＲＴ」ボタンＢＴ１が押下されたと判断するまで、ステップＳ３２０の判断を繰り返し行う（ステップＳ３２０：ＮＯ）。「ＳＴＡＲＴ」ボタンＢＴ１が押下されると（ステップＳ３２０：ＹＥＳ）、原稿ＳＨもしくはカードＣＡの搬送および読取を開始してもよいとユーザが判断し読取開始指示を行ったとして、読取設定処理を終了する。
【００７１】
なお、ここで、ステップＳ３２０の「ＹＥＳ」判定処理は、搬送部４０を駆動するための駆動指示を受け付ける受付処理の一例に相当し、本受付処理において、読取部（画像処理部）５５による読取処理（画像データの処理の一例）を開始する指示としての駆動指示を受け付ける。これによって、トレイカバー３６の閉状態の時に、読取部５５による読取処理を開始する指示がなされるタイミングで搬送部４０を駆動できるので、原稿ＳＨとの衝突を抑制しつつ、読取動作処理を開始することができる。
【００７２】
３−４．読取動作処理
次に、図１１および図１２を参照して、読取動作処理を説明する。
３−４−１．原稿読取動作処理
まず、図１１を参照して、主に原稿ＳＨの読取時に係る動作処理を説明する。
【００７３】
まず、ＣＰＵ５０は、ステップＳ１０の読取準備処理で読取準備が成功した読取りが、「カード読取」であるか否かを、読取準備処理においてＲＡＭ５２に記憶した情報に基づいて判断する（ステップＳ４０２）。読取りが「カード読取」であると判断した場合は（ステップＳ４０２：ＹＥＳ）、ＣＰＵ５０は、図１２に示すカード読取動作処理に係るステップＳ４４０に移行する。
【００７４】
一方、読取りが「カード読取」でないと判断した場合、すなわち、読取りが「原稿読取」である場合は（ステップＳ４０２：ＮＯ）、ＣＰＵ５０は、駆動モータ８０を制御して搬送部４０を駆動し、原稿ＳＨの搬送動作を開始する(ステップＳ４０４)。次いで、ＣＰＵ５０は、カードＦセンサ６２がＯＮか否かを判断する（ステップＳ４０６）。すなわち、ＣＰＵ５０は、原稿ＳＨの搬送中にカードＣＡが第１導入口２１に導入されたか否かを判断する。
【００７５】
カードＦセンサ６２がＯＮであると判断した場合（ステップＳ４０６：ＹＥＳ）は、ＣＰＵ５０は、原稿ＳＨの搬送を停止するとともに（ステップＳ４３２）、例えば、カードＣＡの取り除き方を、例えばタッチパネル７０に表示する（ステップＳ４３４：ＹＥＳ，ステップＳ４３６）。カードＣＡの取り除き方として、例えば、第１導入口２１からカードＣＡを引き出して取り除く旨が表示される。そして、カードＣＡが除かれ、ユーザによって「ＳＴＯＰ」ボタンＢＴ２が押された場合（ステップＳ４３８：ＹＥＳ）、駆動モータ８０の制御を再開して搬送部４０の駆動を再開し、原稿ＳＨを排出口１２から排紙する（ステップＳ４２８）。
【００７６】
これによって、「原稿読取」において原稿ＳＨの搬送が開始された際に、カードＣＡが第１導入口２１に導入された場合、カードＣＡが、例えば第１導入口２１から取り除かれ、その後、原稿ＳＨが排出口１２から排紙される。そのため、第１搬送経路２０と第２搬送経路１０との重なり区間Ｋ１（図５参照）が同時に使用されることが回避される。すなわち、第１導入口１１に導入されたカードＣＡと、第２導入口２１に導入された原稿ＳＨとの衝突によるジャムの発生が回避される。
【００７７】
一方、ステップＳ４０６において、カードＦセンサ６２がＯＮでないと判断した場合（ステップＳ４０６：ＮＯ）は、原稿Ｒセンサ６３がＯＮであるか否かを、原稿Ｒセンサ６３の検知信号に基づいて判断する（ステップＳ４０８）。原稿Ｒセンサ６３がＯＮであると判断するまで、ステップＳ４０６およびステップＳ４０８の判断を繰り返し行う（ステップＳ４０８：ＮＯ）。
【００７８】
一方、原稿Ｒセンサ６３がＯＮであると判断された場合（ステップＳ４０８：ＹＥＳ）は、原稿ＳＨの先端が原稿Ｒセンサ６３に対向する位置に達したとして、原稿ＳＨの読取開始までに必要な駆動モータ８０のステップ数、すなわち原稿ＳＨの先端が原稿Ｒセンサ６３に対向する位置から画像読取センサ５５の読取位置に位置するまで原稿ＳＨを搬送するのに必要なステップ数をＲＡＭ５２にセットする(ステップＳ４１０)。
【００７９】
次いで、ＣＰＵ５０は、駆動モータ８０を１ステップ単位で駆動し、ステップＳ４１０によって設定されたステップ数の残りステップ数が「０」であるか否かを判断する（ステップＳ４１２）。残りステップ数が「０」となるまで、ステップＳ４１２の処理を繰り返し行う（ステップＳ４１２：ＮＯ）。一方、残りステップ数が「０」になった場合（ステップＳ４１２：ＹＥＳ）、原稿ＳＨの先端が画像読取センサ５５の読取位置まで搬送されたとして、画像読取センサ５５を点灯し、読取設定処理のステップＳ３１０にて設定した内容で読取部５５を制御して読取を開始する(ステップＳ４１４)。
【００８０】
次いで、ＣＰＵ５０は、カードＦセンサ６２がＯＮか否か、すなわち、原稿ＳＨの読取り中にカードＣＡが第１導入口２１に導入されたか否かを判断する（ステップＳ４１６）。カードＦセンサ６２がＯＮであると判断した場合（ステップＳ４１６：ＹＥＳ）は、ＣＰＵ５０は、原稿ＳＨの読取りを終了、すなわち画像読取センサ５５を消灯し（ステップＳ４３０）、駆動モータ８０の駆動を停止して原稿ＳＨの搬送動作を停止する処理に移行する（ステップＳ４３２）。
【００８１】
これによって、原稿ＳＨの読取の最中にカードＣＡが第１導入口２１に導入された場合であっても、カードＣＡが、例えば第１導入口２１から取り除かれ、その後、原稿ＳＨが排出口１２から排紙される。そのため、第１搬送経路２０と第２搬送経路１０との重なり区間Ｋ１が同時に使用されることが回避される。それによって、第１導入口１１に導入されたカードＣＡと、第２導入口２１に導入された原稿ＳＨとの衝突によるジャムの発生が回避される。すなわち、第１搬送経路２０と第２搬送経路１０とが合流する構成であっても、両方の導入口１１，２１から原稿ＳＨおよびカードＣＡが導入されて搬送されてしまうのを抑制できる。
【００８２】
一方、ステップＳ４１６において、カードＦセンサ６２がＯＮでないと判断した場合（ステップＳ４１６：ＮＯ）は、ＣＰＵ５０は、原稿ＳＨの読取開始後にタッチパネル７０上の「ＳＴＯＰ」ボタンＢＴ２が押されたか否かを判断する（ステップＳ４１８）。すなわち、ユーザからの読取の中止指示が受け付けられたか否かを判断する。
【００８３】
「ＳＴＯＰ」ボタンＢＴ２が押されユーザからの中止指示が受け付けられた場合には（ステップＳ４１８：ＹＥＳ）、ＣＰＵ５０は、原稿ＳＨの読取中であるにもかかわらず、画像読取センサ５５を消灯して読取を終了する処理に移行する(ステップＳ４３０)。そして、駆動モータ８０の駆動を停止し、原稿ＳＨの搬送を停止する(ステップＳ４３２)。次いで、ＣＰＵ５０は、カードＦセンサ６２がＯＮか否かを判断する（ステップＳ４３４）。
【００８４】
この場合、カードＣＡが第１導入口２１に導入されていないため、カードＦセンサ６２がＯＮでないと判断し（ステップＳ４３４：ＮＯ）、駆動に伴う異常が発生しないとして、第１導入口２１へカードＣＡを導入しない旨の表示をタッチパネル７０に表示する処理に移行する（ステップＳ４３５）。
【００８５】
一方、ステップＳ４１８において、「ＳＴＯＰ」ボタンＢＴ２が押されず、ユーザからの中止指示が受け付けられていない場合には（ステップＳ４１８：ＮＯ）、原稿Ｒセンサ６３がＯＦＦか否か、すなわち原稿ＳＨの後端が原稿Ｒセンサ６３を通過したかどうかを検知する（ステップＳ４２０）。原稿Ｒセンサ６３がＯＦＦでない、すなわち原稿ＳＨの後端が原稿Ｒセンサ６３を通過していないと判断された場合（ステップＳ４２０：ＮＯ）は、ステップＳ４１６に戻る。一方、原稿Ｒセンサ６３がＯＦＦである、すなわち原稿ＳＨの後端が原稿Ｒセンサ６３を通過したと判断された場合（ステップＳ４２０：ＹＥＳ）、原稿ＳＨの読取終了までに必要な駆動モータ８０のステップ数、すなわち、原稿ＳＨの後端が原稿Ｒセンサ６３で検知がなされる位置から、画像読取センサ５５の読取位置を通過するまでに必要なステップ数をＲＡＭ５２にセットする（ステップＳ４２２）。
【００８６】
次いで、ＣＰＵ５０は、駆動モータ８０を１ステップ単位で駆動し、ステップＳ４２２によって設定された読取終了までの残りステップ数が「０」であるか否かを判断する（ステップＳ４２４）。ＣＰＵ５０は、ＲＡＭ５２にセットした読取終了までに必要な駆動モータ８０のステップ数の残りが０になるまで、ステップＳ４２４の処理を繰り返し行う（ステップＳ４２４：ＮＯ）。ステップ数の残りが０になった場合（ステップＳ４２４：ＹＥＳ）、原稿ＳＨの読取が終了できる位置まで搬送されたとして、画像読取センサ５５を消灯し、読取を終了する(ステップＳ４２６)。
【００８７】
次いで、ＣＰＵ５０は、排出動作を行う（ステップＳ４２８）。すなわち、原稿ＳＨの後端が、画像読取センサ５５の読取位置を通過する位置から排出ローラ４４と従動ローラ４５のニップ位置に位置するまで原稿ＳＨを搬送するのに必要なステップ数分、駆動モータ８０を駆動し、原稿ＳＨを第２排出口１２Ｂへ向かって搬送し装置外に排出する搬送動作を行う。上記排出動作が行われた後、ＲＡＭ５２に記憶した駆動モータ８０の駆動ステップ数をリセットし、読取動作処理を終了する。
なお、ステップＳ４０６、Ｓ４１６およびＳ４３４での各判断時、カードＣＡの先端がカードＦセンサ６２に達した時点で行われるものとする。そのため、ステップＳ４０６での判断時、カードＣＡの先端は、搬送ローラ４２Ｂと従動ローラ４３Ｂとによって挟持される位置までは導入されていないものとする。
【００８８】
３−４−２．カード読取動作処理
次に、図１２を参照して、主にカードＣＡの読取時に係る動作処理を説明する。
図１１のステップＳ４０２において、読取りが「カード読取」であると判断した場合は（ステップＳ４０２：ＹＥＳ）、ＣＰＵ５０は、カードＣＡの読取開始までに必要な駆動モータ８０のステップ数、すなわち、カードＣＡの先端がカードＲセンサ６４に対向する位置から画像読取センサ５５の読取位置に位置するまでカードＣＡを搬送するのに必要なステップ数をＲＡＭ５２にセットする（ステップＳ４４０）。
【００８９】
次いで、ＣＰＵ５０は、駆動モータ８０を１ステップ単位で駆動してカードＣＡの搬送を開始し（ステップＳ４４２）、ステップＳ４４０によって設定されたステップ数の残りステップ数が「０」であるか否かを判断する（ステップＳ４４４）。残りステップ数が「０」となるまで、ステップＳ４４４の処理を繰り返し行う（ステップＳ４４４：ＮＯ）。一方、残りステップ数が「０」になった場合（ステップＳ４４４：ＹＥＳ）、カードＣＡの先端が画像読取センサ５５の読取位置まで搬送されたとして、画像読取センサ５５を点灯し、読取設定処理のステップＳ３１０にて設定した内容で読取部５５を制御してカードＣＡの読取りを開始する(ステップＳ４４６)。
【００９０】
次いで、ＣＰＵ５０は、トレイカバー３６が閉状態か否かを、開閉位置センサ６０の検知信号に基づいて判断する（ステップＳ４４８）。トレイカバー３６が閉状態でない、すなわち、トレイカバー３６が開状態と判断した場合（ステップＳ４４８：ＮＯ）は、ＣＰＵ５０は、カードＣＡの読取りを終了し（ステップＳ４６０）、駆動モータ８０の制御を停止して、搬送部４０の駆動を停止する。それによってカードＣＡの搬送動作を停止する（ステップＳ４６２：停止処理の一例）。そして、ＣＰＵ５０は、例えば、カードＣＡの取り除き方をタッチパネル７０に表示する（ステップＳ４６４）。例えば、タッチパネル７０には、第１筐体３１を上方に開いて、カードＣＡを取り除くように表示される。なお、ここで、第１筐体３１は、ジャム除去処理等のために開閉可能に構成されているものとする。
【００９１】
このように、搬送部４０の駆動中に開閉位置センサ６０がトレイカバー３６の開状態を検知する場合、搬送部４０の駆動を停止することによって、第１導入口２１に導入されて搬送中のカードＣＡとともに、第２導入口１１に導入される原稿ＳＨも搬送されてしまうのを確実に防止できる。
【００９２】
次いで、ＣＰＵ５０は、カードＣＡの搬送停止後にタッチパネル７０上の「ＳＴＯＰ」ボタンＢＴ２が押されたか否かを判断する（ステップＳ４６６）。すなわち、ユーザからの読取の中止指示を受け付けたか否かを判断する。ＣＰＵ５０は、「ＳＴＯＰ」ボタンＢＴ２が押されユーザからの中止指示を受け付けられるまで待機し（ステップＳ４６６：ＮＯ）、中止指示を受け付けた場合には（ステップＳ４６６：ＹＥＳ）、ＣＰＵ５０は、カードＣＡを第１排出口１２Ａから排出する排出動作を行う（ステップＳ４６８）。尚、カードＣＡは取り除かれているはずであるので、この排出動作においては、搬送部４０が空転することとなる。
【００９３】
これによって、カードＣＡの読取中にトレイカバー３６が開状態とされた場合、カードＣＡの読取が中断され、カードＣＡの搬送が停止される。そのため、第１搬送経路２０と第２搬送経路１０との重なり区間Ｋ１が同時に使用されることが回避される。それによって、第１導入口１１に導入されたカードＣＡと、第２導入口２１に導入された原稿ＳＨとの衝突によるジャムの発生が回避される。すなわち、第１搬送経路２０と第２搬送経路１０とが合流する構成であっても、両方の導入口１１，２１から原稿ＳＨおよびカードＣＡが導入されて搬送されてしまうのを抑制できる。
【００９４】
なお、ステップＳ４４８において、トレイカバー３６が開状態であると判断した場合（ステップＳ４４８：ＮＯ）は、ステップＳ４６０からステップＳ４６６の処理に代えて、単に、ステップＳ１２０のように、トレイカバー３６を閉状態とすることを促すための表示を、例えばタッチパネル７０に表示ようにしてもよい。あるいはステップＳ１３７のように、第２導入口１１へ原稿ＳＨを導入しない旨の表示を、例えばタッチパネル７０に表示するようにしてもよい。この場合であっても、カードＣＡの読取中に、原稿ＳＨが第２導入口２１へ導入されることを抑制できる。
【００９５】
一方、ステップＳ４４８において、トレイカバー３６が閉状態であると判断した場合（ステップＳ４４８：ＹＥＳ）は、ＣＰＵ５０は、カードＣＡの読取開始後にタッチパネル７０上の「ＳＴＯＰ」ボタンがＢＴ２押されたか否かを判断する（ステップＳ４５０）。すなわち、ユーザからの読取の中止指示を受け付けたか否かを判断する。
【００９６】
「ＳＴＯＰ」ボタンＢＴ２が押されユーザからの中止指示を受け付けた場合には（ステップＳ４５０：ＹＥＳ）、上記ステップＳ４６０からステップＳ４６８までの処理を実行する。一方、「ＳＴＯＰ」ボタンＢＴ２が押されず、ユーザからの中止指示を受け付けていない場合（ステップＳ４５０：ＮＯ）、カードＲセンサ６４がＯＦＦか否か、すなわちカードＣＡの後端がカードＲセンサ６４を通過したかどうかを検知する（ステップＳ４５２）。
【００９７】
カードＲセンサ６４がＯＦＦでない、すなわちカードＣＡの後端がカードＲセンサ６４を通過していないと判断された場合（ステップＳ４５２：ＮＯ）、ステップＳ４４８に戻り、カードＣＡの読取りを継続する。一方、カードＲセンサ６４がＯＦＦである、すなわちカードＣＡの後端がカードＲセンサ６４を通過したと判断された場合（ステップＳ４５２：ＹＥＳ）は、カードＣＡの読取終了までに必要な駆動モータ８０のステップ数、すなわち、カードＣＡの後端がカードＲセンサ６４で検知がなされる位置から、画像読取センサ５５の読取位置を通過するまでに必要なステップ数をＲＡＭ５２にセットする（ステップＳ４５４）。
【００９８】
次いで、ＣＰＵ５０は、駆動モータ８０を１ステップ単位で駆動し、ステップＳ４５４によって設定された読取終了までの残りステップ数が「０」であるか否かを判断する（ステップＳ４５６）。ＣＰＵ５０は、ＲＡＭ５２にセットした読取終了までに必要な駆動モータ８０のステップ数の残りが０になるまで、ステップＳ４５６の処理を繰り返し行う（ステップＳ４５６：ＮＯ）。ステップ数の残りが０になった場合（ステップＳ４５６：ＹＥＳ）、カードＣＡの読取が終了できる位置まで搬送されたとして、画像読取センサ５５を消灯し、読取を終了する(ステップＳ４５８)。
【００９９】
次いで、ＣＰＵ５０は、排出動作を行う（ステップＳ４６８）。すなわち、カードＣＡの後端が、画像読取センサ５５の読取位置を通過する位置から排出ローラ４４と従動ローラ４５のニップ位置に位置するまでカードＣＡを搬送するのに必要なステップ数分、駆動モータ８０を駆動し、カードＣＡを第１排出口１２Ａへ向かって搬送し装置外に排出する搬送動作を行う。上記排出動作が行われた後、ＲＡＭ５２に記憶した駆動モータ８０の駆動ステップ数をリセットし、カードＣＡの読取動作処理を終了する。
【０１００】
４．実施形態の効果
本実施形態では、ＣＰＵ５０は、開閉位置センサ６０がトレイカバー３６の閉状態を検知している場合（ステップＳ１１５：ＹＥＳ）において搬送部４０を駆動する駆動処理（ステップＳ１２５）を実行する。これによって、トレイカバー３６が閉状態においては、開放された状態にある第１導入口２１に導入されるカードＣＡのみを搬送することができる。そのため、常に第１導入口２１および第２導入口１１に、カードＣＡおよび原稿ＳＨをそれぞれ導入され得る状態を、回避することができ、それによってシート搬送が禁止される頻度を低減させることができる。その結果２つの導入口を有する構成において、複数のシートを同時に搬送することによる不都合、例えばカードＣＡと原稿ＳＨとの衝突を抑制しつつ、利便性の低下を抑制できる。
＜他の実施形態＞
本発明は上記記述および図面によって説明した実施形態に限定されるものではなく、例えば次のような実施形態も本発明の技術的範囲に含まれる。
【０１０１】
（１）上記実施形態においては、第１搬送部４０Ａおよび第２搬送部４０Ｂへの動力の伝達に共用される駆動モータ８０を使用する例を示したがこれに限られない。第１搬送部４０Ａおよび第２搬送部４０Ｂへの動力の伝達を個別のモータで行う構成においても本発明は適用できる。  
すなわち、搬送部４０は、第１導入口２１から導入されるカードＣＡを搬送する第１搬送部４０Ａと、第２導入口１１から導入される原稿ＳＨを搬送する第２搬送部４０Ｂと、第１搬送部４０Ａへの動力の伝達に用いられる第１モータと、第２搬送部４０Ｂへの動力の伝達に用いられる第２モータとを含み、ＣＰＵ５０は、抑制処理において、第２モータの駆動を停止することにより、第２搬送部４０Ｂの駆動を停止するようにしてもよい。
【０１０２】
具体的には、例えば、図９のステップＳ１３５の「ＮＯ」判定の場合、および図１２のステップＳ４４８の「ＮＯ」判定の場合、第２搬送部４０Ｂの駆動を停止するようにしてもよい（抑制処理の一例）。この場合であっても、第２導入口１１に導入された原稿ＳＨも搬送されてしまうのを確実に抑制しつつ、第１導入口２１に導入されて搬送中のカードＣＡの搬送を継続できる。
【０１０３】
（２）上記実施形態においては、カードＦセンサ６２を設け、カードＦセンサ６２によるカードＣＡの検知に基づいて搬送部４０を駆動する構成としたがこれに限られない。例えば、カードＦセンサ６２を設けることなく、搬送部を駆動するための駆動指示の受付、すなわち、ユーザによる読取指示要求受付とカバー閉状態検知とを満たしたら搬送部４０を駆動する構成としてもよい。
【０１０４】
（３）上記実施形態においては、第１搬送経路２０が、途中で第２搬送経路１０と合流する例を示したが、これに限られない。本発明は、第１搬送経路２０が、途中で第２搬送経路１０と合流しない構成のシート搬送装置にも適用できる。このような構成において、例えば、読取部が一個しか設けられず、シートの導入を検知する側の搬送経路に、読取部を移動させてシートを読取る構成のシート搬送装置の場合、各搬送経路に対応した導入部からのシートの導入を検知する両センサがオンし、読取部をいずれの側の搬送経路に移動させるべきかが判断できなくなる不都合が発生する恐れがある。しかしながら、本発明の、開閉位置センサ（カバーセンサ）６０がカバー３６の閉状態を検知している場合において搬送部４０を駆動する駆動処理を実行する構成によって、そのような不都合を抑制できる。すなわち、２つの導入部を有する構成において、複数のシートを同時に搬送することによる不都合を抑制しつつ、利便性の低下を抑制できる。
【０１０５】
（４）上記実施形態においては、制御部の一例としてＣＰＵ５０を示したが、これに限られない。制御部は、例えば、ＡＳＩＣを含む複数の回路で構成されてもよいし、あるいはＣＰＵとその他の個別の回路とによって構成されてもよい。
【符号の説明】
【０１０６】
１…画像読取装置、２…シート搬送装置、１０…第２搬送経路、１１…第２導入口、１２…排出口、１２Ａ…第１排出口、１２Ｂ…第２排出口、２０…第１搬送経路、２１…第１導入口、３６…カバー、４０…搬送部、５０…ＣＰＵ、５５…読取部、６０…開閉位置センサ、６１…原稿Ｆセンサ、６２…カードＦセンサ、６３…原稿Ｒセンサ、６４…カードＲセンサ、７０…タッチパネル、８０…駆動モータ
【図１】
2014108873.tif 000003
【図２】
2014108873.tif 000004
【図３】
2014108873.tif 000005
【図４】
2014108873.tif 000006
【図５】
2014108873.tif 000007
【図６】
2014108873.tif 000008
【図７】
2014108873.tif 000009
【図８】
2014108873.tif 000010
【図９】
2014108873.tif 000011
【図１０】
2014108873.tif 000012
【図１１】
2014108873.tif 000013
【図１２】
2014108873.tif 000014